(57)【特許請求の範囲】
【請求項１】
段ボールを折曲げて重合わせるとともに、凹部から成る受け部を有するクッション部材を具備し、該クッション部材の受け部によって物品の角の部分を受けた状態で締結バンドによって締結するようにした梱包装置であって、
前記段ボールの段目と交差する方向に互いに平行な複数の切断線を形成して前記段ボールを複数の板状部に分割するとともに、それぞれの切断線を部分的に連結部によって連結して前記複数の板状部を折曲げ可能に連結し、しかも連結部をまたぐとともに前記切断線の長さ方向の中央部に対して両側が互いに非対称な開口が形成され、
前記切断線のところで交互に逆方向に折曲げて重合わせて接合するとともに、前記開口によって前記受け部が形成されるようにした第１のクッション部材によって物品の角の部分を受け、
しかも前記段ボールを前記切断線のところで第１のクッション部材とは山折りと谷折りとを互いに逆にして前記受け部が対称に配置される第２のクッション部材を設け、前記第１のクッション部材と前記第２のクッション部材とによって物品の互いに対称な反対側の角の部分を受けるようにしたことを特徴とする梱包装置。
【請求項２】
クッション部材を組立てる段ボールの段目に対して直角に切断線が形成されていることを特徴とする請求項１に記載の梱包装置。
【請求項３】
前記切断線に臨んで小さな切欠きが形成され、前記段ボールを折曲げると前記切欠きが整合されて締結バンドを案内する案内溝が形成されることを特徴とする請求項１に記載の梱包装置。
【請求項４】
複数の物品の角の部分をそれぞれ段ボールを折曲げて積重ねたクッション部材の凹部から成る受け部によって受けた状態で、前記複数の物品をクッション部材を介して積重ね、しかも締結バンドによって前記クッション部材を介して前記複数の物品を一緒に締結するようにした梱包装置であって、
前記段ボールの段目と交差する方向に互いに平行な複数の切断線を形成して前記段ボールを複数の板状部に分割するとともに、それぞれの切断線を部分的に連結部によって連結して前記複数の板状部を折曲げ可能に連結し、しかも連結部をまたぐとともに前記切断線の長さ方向の中央部に対して両側が互いに非対称な開口が形成され、
前記切断線のところで交互に逆方向に折曲げて重合わせて接合するとともに、前記開口によって前記受け部が形成されるようにした第１のクッション部材によって物品の角の部分を受け、
しかも前記段ボールを前記切断線のところで第１のクッション部材とは山折りと谷折りとを互いに逆にして前記受け部が対称に配置される第２のクッション部材を設け、前記第１のクッション部材と前記第２のクッション部材とによって物品の互いに対称な反対側の角の部分を受けるようにしたことを特徴とする梱包装置。
【請求項５】
上側の物品の下側の角の部分を受けるクッション部材の端部と下側の物品の上側の角の部分を受けるクッション部材の端部とを筒状の連結部材によって連結することを特徴とする請求項４に記載の梱包装置。
【請求項６】
上側の物品の下側の角の部分を受ける受け部と下側の物品の上側の角の部分を受ける受け部とが形成されているクッション部材を上側の物品と下側の物品との間に介装することを特徴とする請求項４に記載の梱包装置。
【請求項７】
段ボールから成るパレット上に複数の物品が載置され、前記パレットとともに前記締結バンドによって締結されることを特徴とする請求項４に記載の梱包装置。
【発明の詳細な説明】
【０００１】
【発明の属する技術分野】
本発明は梱包装置に係り、とくにクッション部材と締結バンドとによって梱包するようにした梱包装置に関する。
【０００２】
【従来の技術】
各種の物品を物流に供する際に、これらの物品が物流の途中で損傷されないように梱包を行なうようにしている。一般に採用されている梱包形態は、段ボールケースを用いるものである。物品は段ボールケース内に収納されるとともに、物品と段ボールケースとの間の隙間の部分に発泡スチロール樹脂のクッションが配され、これによって物流段階における衝撃から物品を保護するようにしている。
【０００３】
【発明が解決しようとする課題】
従来のこのような梱包形態は、原則として１物品毎に１つの段ボールケースを必要とし、また物品の形状に応じた形に成形された発泡スチロール樹脂のクッションを必要とする。従って包装コストが増大する欠点がある。またこのような梱包形態は、物品の形状や種類によって変更されなければならず、フレキシビリティに欠ける欠点があった。
【０００４】
しかも物品が所定の位置に輸送された後には、物品を取出した段ボールケースや発泡スチロール樹脂の緩衝用のクッションを処分しなければならない問題がある。段ボールケースは繰返してリサイクルすることが可能であっても、発泡スチロール樹脂の場合には、特殊な薬剤、例えばリモネンによって溶解しないと再生することができない。そして発泡スチロール樹脂のクッションを焼却廃棄すると、黒煙を発生して公害の原因になり、あるいはまた焼却の際に高温の熱を発生して炉を損傷する。
【０００５】
本発明はこのような問題点に鑑みてなされたものであって、物品を物流に供するための簡略化されかつ廃棄物公害を発生しない梱包装置を提供することを目的とする。
【０００６】
【課題を解決するための手段】
本願の一発明は、段ボールを折曲げて重合わせるとともに、凹部から成る受け部を有するクッション部材を具備し、該クッション部材の受け部によって物品の角の部分を受けた状態で締結バンドによって締結するようにした梱包装置であって、
前記段ボールの段目と交差する方向に互いに平行な複数の切断線を形成して前記段ボールを複数の板状部に分割するとともに、それぞれの切断線を部分的に連結部によって連結して前記複数の板状部を折曲げ可能に連結し、しかも連結部をまたぐとともに前記切断線の長さ方向の中央部に対して両側が互いに非対称な開口が形成され、
前記切断線のところで交互に逆方向に折曲げて重合わせて接合するとともに、前記開口によって前記受け部が形成されるようにした第１のクッション部材によって物品の角の部分を受け、
しかも前記段ボールを前記切断線のところで第１のクッション部材とは山折りと谷折りとを互いに逆にして前記受け部が対称に配置される第２のクッション部材を設け、前記第１のクッション部材と前記第２のクッション部材とによって物品の互いに対称な反対側の角の部分を受けるようにしたことを特徴とする梱包装置に関するものである。
【０００７】
ここでクッション部材を組立てる段ボールの段目に対して直角に切断線が形成されてよい。また前記切断線に臨んで小さな切欠きが形成され、前記段ボールを折曲げると前記切欠きが整合されて締結バンドを案内する案内溝が形成されてよい。
【０００８】
本願の別の発明は、複数の物品の角の部分をそれぞれ段ボールを折曲げて積重ねたクッション部材の凹部から成る受け部によって受けた状態で、前記複数の物品をクッション部材を介して積重ね、しかも締結バンドによって前記クッション部材を介して前記複数の物品を一緒に締結するようにした梱包装置であって、
前記段ボールの段目と交差する方向に互いに平行な複数の切断線を形成して前記段ボールを複数の板状部に分割するとともに、それぞれの切断線を部分的に連結部によって連結して前記複数の板状部を折曲げ可能に連結し、しかも連結部をまたぐとともに前記切断線の長さ方向の中央部に対して両側が互いに非対称な開口が形成され、
前記切断線のところで交互に逆方向に折曲げて重合わせて接合するとともに、前記開口によって前記受け部が形成されるようにした第１のクッション部材によって物品の角の部分を受け、
しかも前記段ボールを前記切断線のところで第１のクッション部材とは山折りと谷折りとを互いに逆にして前記受け部が対称に配置される第２のクッション部材を設け、前記第１のクッション部材と前記第２のクッション部材とによって物品の互いに対称な反対側の角の部分を受けるようにしたことを特徴とする梱包装置に関するものである。
【０００９】
ここで上側の物品の下側の角の部分を受けるクッション部材の端部と下側の物品の上側の角の部分を受けるクッション部材の端部とを筒状の連結部材によって連結するようにしてよい。また上側の物品の下側の角の部分を受ける受け部と下側の物品の上側の角の部分を受ける受け部とが形成されているクッション部材を上側の物品と下側の物品との間に介装するようにしてよい。また段ボールから成るパレット上に複数の物品が載置され、前記パレットとともに前記締結バンドによって締結されてよい。
【００１０】
【作用】
従って上記の一発明によれば、物品はその角の部分をクッション部材の受け部によって受けられた状態で締結バンドによって締結されて物流に供されることになり、梱包装置が角の部分を受けるクッション部材と締結バンドとから構成されることになる。
【００１１】
本願の上記別の発明によれば、複数の物品の角の部分がそれぞれ段ボールから成るクッション部材の受け部によって受けられるとともに、複数の物品がクッション部材を介して積重ねられた状態で締結バンドによって締結されるようになり、このような状態で複数の物品を一緒に物流に供することになる。
【００１２】
【発明の実施の形態】
図１〜図５は本発明の第１の実施の形態の梱包装置を示すものであって、この梱包装置は図１に示すような洗面化粧台１０の梱包に用いられるものである。すなわち洗面化粧台１０はその上側の２つの角の部分と下側の２つの角の部分とがコーナクッション１５の受け部によって受けられた状態で、締結バンド１６によって締結されて梱包されるようになっている。
【００１３】
図２はこのような梱包装置のコーナクッション１５を組立てるための段ボール２０を示している。段ボール２０はその全体の形状が長方形になっており、図２において縦方向に延びるように段目が形成された段ボールである。そしてこのような段ボール２０には段目と直角に所定の間隔で１１本の切断線２１が形成されている。これらの切断線２１を横切るように切込み２２が形成され、互いに隣接する切込み２２間の部分において切断線２１が分断されて段目の方向に延びる連結部２３が形成されている。
【００１４】
またこのような段ボール２０には、上記切断線２１を横切るように４つの開口２５が形成されるとともに、上から３番目の切断線２１に上部が臨むように開口２５が形成されている。また切断線２１の部分にはそれぞれ一対ずつの小さな切欠き２６が形成されている。
【００１５】
このように段ボール２０の開口２５が形成されていない切断線２１の部分にはその４個所に連結部２３が形成されるとともに、開口２５が形成される部分には３個所の連結部２３が形成されるようになっている。
【００１６】
このような段ボール２０は図３に示すように、互いに隣接する切断線２１の部分で交互に逆方向に折曲げられるようになり、ジグザグに積重なるように折曲げられることになる。ここで切断線２１によって囲まれるそれぞれの領域の所定の位置に糊を塗布しておくことによって、折曲げられた段ボール２０が糊によって固着される。また切断線２１をまたぐように形成されている連結部２３によって互いに連結される。
【００１７】
図４は積重ねて接合されたコーナクッション１５を示しており、例えばその上面から一側面に臨むように受け部３０が形成されている。受け部３０は開口２５を互いに整合させることによって形成されたものである。またこのコーナクッション１５にはその上面または下面に案内溝３１が形成される。案内溝３１は切断面２１に臨む小さな切欠き２６が互いに整合することによって形成される。
【００１８】
またこのような構造の段ボール２０から成るコーナクッションの特徴は、同一の形態の段ボール２０を用いて図４に示すコーナクッション１５と対称なコーナクッション１５を図５に示すように組立てることができることである。すなわち段ボール２０の切断線２１の折曲げ方を山折りと谷折りとを互いに逆にするだけで図５に示すようなコーナクッション１５が得られることになる。従って１種類の段ボール２０を打抜くことによって、少なくとも上側または下側の左右一対のコーナクッションが組立てられる。受け部３０の位置と長さとが等しい場合には、同一の段ボール２０によって図１に示す洗面化粧台１０を梱包する際に用いられる４つのコーナクッションが組立てられることになる。
【００１９】
このように段ボール２０によって組立てられた４つのコーナクッション１５を用いて、これらのコーナクッション１５を洗面化粧台１０の上側の左右の角の部分と下側の左右の角の部分とにそれぞれ図１に示すように配し、これらのコーナクッション１５の受け部３０によって洗面化粧台１０の上部と下部の左右の角を受けることが可能になる。そして締結バンド１６で締結することによって、洗面化粧台１０の梱包が行なわれることになる。
【００２０】
次に第２の実施の形態を図６〜図１０によって説明する。この実施の形態は、複数の物品３５を第１の実施の形態において用いられたコーナクッション１５と同様の構造のコーナクッション１５によって受けるとともに、複数の物品３５をコーナクッション１５を介して互いに積重ね、締結バンド１６によって締結して梱包を行なうようにしたものである。ここで複数段に積重ねられる物品３５はパレット３６上に載置されるとともに、パレット３６をも一緒に締結バンド１６によって締結するようにしている。
【００２１】
それぞれの物品３５はその上側であって両側の角の部分と下側であって両側の角の部分とがそれぞれコーナクッション１５によって受けられる。すなわち１つの物品３５について４つのコーナクッション１５が用いられる。そしてここでは同一の高さに２つの物品３５が左右に並べて配されるとともに、物品３５は３段にコーナクッション１５を介して積重ねられることになる。従って上下に配される物品３５間には一対のコーナクッション１５が重ねた状態で介装されるようになる。
【００２２】
このように６個の物品３５を２個ずつ３段にコーナクッション１５を介して積重ねた状態で、締結バンド１６によってその全体を締結し、しかもパレット３６内を締結バンド１６を挿通させることによって６つの物品３５の梱包が達成されることになる。
【００２３】
ここで１番下側の部位に配されているパレット３６の構造について図７〜図１０によって説明する。パレット３６は段ボール４０から成る連結ブロック５６を用いるようにしている。段ボール４０には図７に示すようにその段目と交差するように所定の間隔で複数本の切断線４１が形成されるようになっている。そしてそれぞれの切断面４１にはその２個所に一対ずつの切込み４２が形成され、これらの切込み４２間の部分において切断面４１が遮断されて連結部４３を構成するようになっている。
【００２４】
このような段ボール４０の切断線４１によって区画されるそれぞれの領域には、その所定の位置に糊４４が塗布されるようになっている。そして段ボール４０は切断線４１のところで互いに逆方向に折曲げられるようになっており、図８に示すように段ボール４０がジグザグに折曲げられた状態で塗布された糊４０によって接合される。これによって図９に示すような直方体状をなす連結ブロック５６が形成される。
【００２５】
次にこのような連結ブロック５６を備えるパレット３５の構造について説明すると、図９に示すようにパレット３６は上板５１と下板５２とを備えている。しかも上板５１の下側には上側の位置決め板５３が配され、下板５２の上側には下側の位置決め板５４が配されるようになっている。これらの位置決め板５３、５４にはそれぞれ切欠き５５が形成され、これらの切欠き５５によって連結ブロック５６の上側の部分と下側の部分とをそれぞれ位置決めするようにしている。
【００２６】
そして連結ブロック５６が上板５１と下板５２とにそれぞれ糊付けされて固定されるとともに、位置決め板５３、５４は上板５１の下面と下板５２の上面にそれぞれ糊付けされて接合されるようになっている。これによって図１０に示すような搬送パレット３６が組立てられる。このような搬送パレット３６が図６に示すように、複数の物品の梱包のベースをなすものである。
【００２７】
図６に示すような梱包装置は、６個の物品３５を一緒に梱包することができ、梱包の大幅な合理化を図ることが可能になる。しかも梱包装置が段ボール製のコーナクッション１５と段ボール製のパレット３６とから構成されており、これらを締結バンド１６によって締結した構造になっているために、従来よりも大幅に合理化した梱包装置を提供することが可能になる。しかもここではパレット３６が一緒に締結バンド１６によって締結されているために、このパレット３６の上板５１と下板５２との間の空間の部分にフォークリフトの爪を挿入することによって、このままの状態でフォークリフトで移動させることが可能になる。
【００２８】
次に第３の実施の形態を図１１によって説明する。この実施の形態は、上記第２の実施の形態のコーナクッション１５の形状を変更したものであって、ここでは同じ高さで並べて配置される一対の物品３５のコーナクッション１５の共通化を図るようにしたものである。すなわち同じ高さに配されている２つの物品３５の上側の角の部分を受けるコーナクッション１５と下側の角の部分を受けるコーナクッション１５とを連続化したものである。従ってここでは、物品３５間に配されるコーナクッション１５がその上面または下面に一対の受け部３０を並べて配置した構造になる。なおここでもコーナクッション１５は段ボールをジグザグに折曲げて組立てたものである。
【００２９】
さらにこの実施の形態は、上側の物品の下側の角の部分を受けるコーナクッション１５と下側の物品の上側の角の部分を受けるコーナクッション１５とを重ねて配するとともに、それらのコーナクッション１５の端部を筒状をなす連結部材６０によって互いに連結するようにしている。従って高さ方向に物品３５間に配されるコーナクッション１５の両端が連結部材６０によって互いに連結された構造になり、これによって２段に配されるコーナクッション１５がずれ難くなり、より確実に梱包を行なうことが可能になる。
【００３０】
次に第４の実施の形態を図１２によって説明する。この実施の形態は、高さ方向において物品３５間に配されるコーナクッションを横方向のみらず縦方向にも一体化したものである。すなわち縦方向に物品３５間に配される上側の物品３５の下側の角の部分を受けるコーナクッション１５と下側の物品の上側の角の部分を受けるコーナクッション１５とを共通化している。
【００３１】
このように上側の物品３５と下側の物品３５との間に介装されるコーナクッション１５は図１３に示すような段ボール２０によって組立てられる。この段ボール２０は９本の切断線２１を有し、これらが段目に対して直角に所定の間隔で形成されている。しかもこのような切断線２１には、その長さ方向の３個所の位置において一対の切込み２２によって切断線２１が遮断され、連結部２３が形成されている。しかも６番目、７番目、８番目、および９番目の切断線２１を横切るように、その長さ方向に２個所に開口２５が形成されている。また５番目の切断線２１と下端のエッジに臨むように切込み６９が形成されている。
【００３２】
このような段ボール２０は図１４に示すように、切断線２１のところで互いに交互に逆方向に折曲げられる。そして予め塗布されている澱粉糊によって接合されるようになっている。完全に接合されると図１５に示すような緩衝クッション１５が得られる。
【００３３】
従ってここではコーナクッション１５には図１５に示すように、その上面に上側の物品の下側の角の部分を受ける受け部３０が形成されるとともに、下面には下側の物品３５の上側の角の部分を受ける受け部３０が形成されることになる。従って物品３５間のコーナクッション１５の数を半分にすることが可能になる。
【００３４】
またこの実施の形態においては、最上段の物品３５の上側の角の部分を受けるコーナクッション１５の上面に突条６４を形成している。またパレット３６には、連結ブロック５６の形状を変更して上方へ突出する突条６４を形成し、このような突条６４を１番下側の物品３５の下側の角の部分を受けるコーナクッション１５の凹部６５と嵌合させるようにしている。このような構造によると、とくにパレット３６と下側のコーナクッション１５との結合構造が確実になり、パレット３６に対して上側の物品３５が位置ずれを起し難くなる利点をもたらす。なおここでも３段に積重ねられた物品３５はコーナクッション１５およびパレット３６によって締結バンド１６で締結されて梱包される。
【００３５】
【発明の効果】
本願の一発明は、段ボールを折曲げて重合わせるとともに、凹部から成る受け部を有するクッション部材を具備し、該クッション部材の受け部によって物品の角の部分を受けた状態で締結バンドによって締結するようにした梱包装置であって、段ボールの段目と交差する方向に互いに平行な複数の切断線を形成して段ボールを複数の板状部に分割するとともに、それぞれの切断線を部分的に連結部によって連結して複数の板状部を折曲げ可能に連結し、しかも連結部をまたぐとともに切断線の長さ方向の中央部に対して両側が互いに非対称な開口が形成され、切断線のところで交互に逆方向に折曲げて重合わせて接合するとともに、開口によって受け部が形成されるようにした第１のクッション部材によって物品の角の部分を受け、しかも段ボールを切断線のところで第１のクッション部材とは山折りと谷折りとを互いに逆にして受け部が対称に配置される第２のクッション部材を設け、第１のクッション部材と第２のクッション部材とによって物品の互いに対称な反対側の角の部分を受けるようにしたものである。
【００３６】
従って段ボールを折曲げて成るクッション部材と締結バンドとによって物品の梱包を行なうことが可能になり、梱包の大幅な合理化が図られるようになる。とくに段ボールケースや発泡スチロール樹脂のクッションを必要としないために、梱包のためのコストの低減が図られ、あるいはまた不要になった梱包材料の廃棄処理が容易になる。
【００３７】
本願の別の発明は、複数の物品の角の部分をそれぞれ段ボールを折曲げて積重ねたクッション部材の凹部から成る受け部によって受けた状態で、複数の物品をクッション部材を介して積重ね、しかも締結バンドによってクッション部材を介して複数の物品を一緒に締結するようにした梱包装置であって、段ボールの段目と交差する方向に互いに平行な複数の切断線を形成して段ボールを複数の板状部に分割するとともに、それぞれの切断線を部分的に連結部によって連結して複数の板状部を折曲げ可能に連結し、しかも連結部をまたぐとともに切断線の長さ方向の中央部に対して両側が互いに非対称な開口が形成され、切断線のところで交互に逆方向に折曲げて重合わせて接合するとともに、開口によって受け部が形成されるようにした第１のクッション部材によって物品の角の部分を受け、しかも段ボールを切断線のところで第１のクッション部材とは山折りと谷折りとを互いに逆にして受け部が対称に配置される第２のクッション部材を設け、第１のクッション部材と第２のクッション部材とによって物品の互いに対称な反対側の角の部分を受けるようにしたものである。
【００３８】
従ってこのような発明によれば、複数の物品をクッション部材を介して積重ねた状態で締結バンドによって締結することによって、複数の物品が同時に梱包されることになる。従って梱包の大幅な合理化が図られることになる。またそれぞれの物品のための個装を構成する段ボールケースや発泡スチロール樹脂のクッションを必要としないために、梱包装置の大幅な合理化とコストの低減とが図られることになる。また梱包材料の廃棄処理の際における公害の発生を最小限に抑えることが可能になる。
【図面の簡単な説明】
【図１】第１の実施の形態の梱包装置の外観斜視図である。
【図２】コーナクッションの展開平面図である。
【図３】コーナクッションの組立て動作を示す斜視図である。
【図４】コーナクッションの外観斜視図である。
【図５】図４とは対称なコーナクッションの外観斜視図である。
【図６】第２の実施の形態の梱包装置の外観斜視図である。
【図７】パレットの連結ブロックを組立てる段ボールの展開平面図である。
【図８】同連結ブロックを組立てるための動作を示す外観斜視図である。
【図９】パレットの分解斜視図である。
【図１０】パレットの組立て斜視図である。
【図１１】第３の実施の形態の梱包装置の外観斜視図である。
【図１２】第４の実施の形態の梱包装置の外観斜視図である。
【図１３】この梱包装置に用いられる中間のコーナクッションを組立てる段ボールの展開平面図である。
【図１４】コーナクッションの組立て動作を示す斜視図である。
【図１５】組立てられたコーナクッションの外観斜視図である。
【符号の説明】
１０  洗面化粧台
１５  コーナクッション
１６  締結バンド
２０  段ボール
２１  切断線
２２  切込み
２３  連結部
２５  開口
２６  切欠き
３０  受け部
３１  案内溝
３５  物品
３６  パレット
４０  段ボール
４１  切断線
４２  切込み
４３  連結部
４４  糊
５１  上板
５２  下板
５３  位置決め板（上）
５４  位置決め板（下）
５５  切欠き
５６  連結ブロック
６０  連結部材
６４  突条
６５  凹部
６９  切込み
【図１】
0004778131.tif 000002
【図２】
0004778131.tif 000003
【図３】
0004778131.tif 000004
【図４】
0004778131.tif 000005
【図５】
0004778131.tif 000006
【図６】
0004778131.tif 000007
【図７】
0004778131.tif 000008
【図８】
0004778131.tif 000009
【図９】
0004778131.tif 000010
【図１０】
0004778131.tif 000011
【図１１】
0004778131.tif 000012
【図１２】
0004778131.tif 000013
【図１３】
0004778131.tif 000014
【図１４】
0004778131.tif 000015
【図１５】
0004778131.tif 000016